【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
無線通信システムにおいて、無線リンク上を第１ノードから第２ノードに送信される信号の適応を支援するための前記第１ノードにおける方法であって、
前記第２ノードは、前記無線リンク上を前記第１ノードから前記第２ノードへ送信される前記信号の適応において前記第１ノードにより用いられることが可能な情報の候補のセットを含むコードブックを用いるように構成され、
前記第１ノードは、複数のサブセットを認識するよう構成されており、それぞれのサブセットは、前記コードブックの少なくとも一部を含み、
前記方法は、
情報の候補の選択を少なくとも１つの前記サブセットに制限する前記第２ノードへの設定要求を含むメッセージを前記第２ノードに送信すること、および
前記設定要求に従って設定された少なくとも１つのサブセットの中から選択される情報の候補を前記第２ノードから受信すること
を含む方法。
【請求項２】
前記第２ノードによる前記情報の候補の選択を制限するために、前記複数のサブセットのうち少なくとも１つのサブセットを決定することをさらに含む、請求項１に記載の方法。
【請求項３】
前記決定することは、前記第２ノードが前記第１ノードに報告している、前記第１ノードにおける設置シナリオまたは信頼性分析のうちの少なくとも１つに基づいている、請求項２に記載の方法。
【請求項４】
前記決定することは、異なるサブセットを試し、パフォーマンスメトリックを最大化させるサブセットを選択することによって、サブセットを探索することにより実行される、請求項２に記載の方法。
【請求項５】
前記設定要求は、それぞれのビットが特定の情報の候補に対応するビットマップを含む、請求項１に記載の方法。
【請求項６】
前記設定要求は、ビットマップを含み、前記ビットマップに含まれる前記ビットの値は、前記サブセット中に対応する情報の候補を含むか又は含まないかを示す、請求項１に記載の方法。
【請求項７】
前記情報の候補を受信することは、前記情報の候補を伝達する特定のビットを含む特定の信号伝達フォーマットによって前記情報の候補を受信することを含む、請求項１に記載の方法。
【請求項８】
前記コードブックは、１または複数のプリコーダ、１または複数のプリコーダ及び１または複数の送信ランク、若しくは、それらの組み合わせを含む、請求項１に記載の方法。
【請求項９】
前記コードブックは、プリコーダ行列、送信ランク、変調の選択肢、転送ブロックサイズ、電力、またはチャネライゼーションコードの少なくともいずれかを含む、請求項１に記載の方法。
【請求項１０】
前記第１ノードは、基地局である、請求項１に記載の方法。
【請求項１１】
前記第１ノードは、ユーザ装置である、請求項１に記載の方法。
【請求項１２】
前記情報の候補を受信することは、少なくとも１つの他のサブセットから選択された情報の候補を受信するためのフォーマットの再利用に対応する特定の信号伝達フォーマットに従って前記情報を受信することを含む、請求項１に記載の方法。
【請求項１３】
無線通信システムにおいて無線リンク上を第1ノードから第２ノードへ送信される信号の適応において前記第1ノードを支援するための前記第２ノードにおける方法であって、
前記第２ノードは、前記無線リンク上を前記第１ノードから前記第２ノードへ送信される前記信号の適応において前記第１ノードにより用いられることが可能な情報の候補のセットを含むコードブックを用いるように構成され、
前記第１ノードは、複数のサブセットを認識するよう構成されており、それぞれのサブセットは、前記コードブックの少なくとも一部を含み、
前記方法は、
情報の候補の選択を少なくとも１つの前記サブセットに制限する設定要求を含むメッセージを前記第１ノードから受信すること、
情報の候補を前記設定要求によって示される少なくとも１つのサブセットから選択すること、および
前記選択された情報の候補を、前記第１ノードに送信すること
を含む方法。
【請求項１４】
前記コードブックは、１または複数のプリコーダ、１または複数のプリコーダ及び１または複数の送信ランク、若しくはそれらの組み合わせを含み、
前記選択することは、パフォーマンスメトリックを最適化する前記サブセット中の要素を選択することを含む、請求項１３に記載の方法。
【請求項１５】
前記コードブックは、プリコーダ、またはプリコーダ及び送信ランクを含む、請求項１３に記載の方法。
【請求項１６】
前記コードブックは、プリコーダ行列、送信ランク、変調の選択肢、転送ブロックサイズ、電力、及びチャネライゼーションコードの少なくともいずれかを含む、請求項１３に記載の方法。
【請求項１７】
前記送信することは、特定のビットが前記情報の候補を伝達する特定の信号伝達フォーマットを用いて前記選択された情報の候補を前記第１ノードに送信することを含む、請求項１３に記載の方法。
【請求項１８】
前記第２ノードは、ユーザ装置である、請求項１３に記載の方法。
【請求項１９】
前記第２ノードは、基地局である、請求項１３に記載の方法。
【請求項２０】
前記送信することは、少なくとも１つの他のサブセットから選択された情報の候補を送信するためのフォーマットの再利用に対応する特定の信号伝達フォーマットを用いて前記選択された情報の候補を前記第１ノードに送信することを含む、請求項１３に記載の方法。
【請求項２１】
無線リンク上で無線通信システムにおいて第２ノードと通信するように設定された無線通信システムの第１ノードにおける装置であって、
前記第２ノードは、前記無線リンク上を前記第１ノードから前記第２ノードへ送信される信号の適応において前記第１ノードにより用いられることが可能な情報の候補のセットを含むコードブックを用いるように構成され、
前記第１ノードは、複数のサブセットを認識するよう構成されており、それぞれのサブセットは、前記コードブックの一部又は全部を含み、
前記装置は、
前記第２ノードによる情報の候補の選択を少なくとも１つの前記サブセットに制限する前記第２ノードへの設定要求を含むメッセージを第２ノードに送信する送信部と、
前記設定要求によって示される少なくとも１つのサブセットの中から前記第２ノードによって選択された情報の候補を前記第２ノードから受信する受信部と、
を備える装置。
【請求項２２】
前記第１ノードは、基地局である、請求項２１に記載の装置。
【請求項２３】
前記第１ノードは、ユーザ装置である、請求項２１に記載の装置。
【請求項２４】
前記受信部は、少なくとも１つの他のサブセットから選択された情報の候補を受信するためのフォーマットの再利用に対応する特定の信号伝達フォーマットに従って前記情報の候補を受信するように設定される、請求項２１に記載の装置。
【請求項２５】
無線通信システムの第２ノードにおける装置であって、前記第２ノードは、前記無線通信システムにおいて無線リンク上で第１ノードと通信するように設定され、
前記第２ノードは、前記無線リンク上を前記第１ノードから前記第２ノードへ送信される信号の適応において前記第１ノードにより用いられることが可能な情報の候補のセットを含むコードブックを用いるように構成され、
前記第１ノードは、複数のサブセットを認識するよう構成されており、それぞれのサブセットは、前記コードブックの少なくとも一部を含み、
前記装置は、
情報の候補の選択を少なくとも１つの前記サブセットに制限する設定要求を含むメッセージを前記第１ノードから受信する受信部と、
前記第２ノードによる情報の候補の選択を前記受信した設定要求に従って設定する設定部と、
情報の候補を前記設定された少なくとも１つのサブセットから選択する選択部と、
前記選択された情報の候補を前記第１ノードに送信する送信部と、
を備える装置。
【請求項２６】
前記第２ノードは、ユーザ装置である、請求項２５に記載の装置。
【請求項２７】
前記第１ノードは、基地局である、請求項２５に記載の装置。
【請求項２８】
前記送信部は、少なくとも１つの他のサブセットから選択された情報の候補を送信するためのフォーマットの再利用に対応する特定の信号伝達フォーマットを用いて前記選択された情報の候補を前記第１ノードに送信するように設定される、請求項２５に記載の装置。